(57)【特許請求の範囲】
【請求項１】
１チャンネルを１３個のセグメントと称する周波数帯域に分割して放送するデジタル放送用の移動受信機において、
複数のチャンネルの放送を同時に受信するための複数の放送受信用チューナと、前記複数の放送受信用チューナが受信した複数のチャンネルの放送の各々の１セグメントをＴＳ合成するＴＳ合成部と、を有し、前記複数の放送用チューナが放送信号の付加情報に基づいて複数のチャンネルの１セグメントで分割送出されている複数のコンテンツを受信し、前記ＴＳ合成部は、ユーザからの選択により受信した互いに相関のある複数のコンテンツを合成してオリジナルコンテンツデータを生成することを特徴とする移動受信機。
【請求項２】
上記ＴＳ合成部は、２個のチャンネルの１セグメントを同時に加算することによって、ＴＳ合成を行うことを特徴とする請求項１に記載の移動受信機。
【請求項３】
上記ＴＳ合成部は、２個のチャンネルの１セグメントを交互に接続することによって、ＴＳ合成を行うことを特徴とする請求項１に記載の移動受信機。
【請求項４】
上記ＴＳ合成部は、ＯＦＤＭ復調を行った放送信号を入力することを特徴とする請求項１に記載の移動受信機。
【発明の詳細な説明】
【０００１】
【発明の属する技術分野】
本発明は、移動受信機及び地上デジタル放送送信システムに関し、特に、地上デジタル放送を行う送信側のシステム，さらには車載端末や携帯電話，ＰＤＡ（Personal Digital Assistants）等の携帯端末に用いられる地上デジタル放送用移動受信機及び地上デジタル放送送信システムに関する。
【０００２】
【従来の技術】
現在、全国で視聴されているアナログ地上放送に代わる新しい地上デジタル放送の準備が進んでいる。この地上デジタル放送は、２００３年に関東、近畿、東海の３大都市圏で開始され、２００６年には全国へ拡大させる計画である。これにともない、現行のアナログ放送も２０１１年には廃止される予定である。
【０００３】
ＩＳＤＢ（Integrated Services Digital Broadcasting）は、映像、音声、データなどのあらゆる情報をデジタル・データとして扱う次世代の統合デジタル放送のコンセプトである。ＩＳＤＢの具体的なサービスとして、デジタル・テレビジョン放送、デジタル音声放送、ファクシミリ放送、マルチメディア放送などが研究されている。ＩＳＤＢの伝送路としては、衛星放送波、地上放送波、同軸ケーブルや光ファイバの有線伝送路の利用が考えられている。
【０００４】
この地上デジタル放送の技術規格ＩＳＤＢ−Ｔ（Terrestrial）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。
【０００５】
また、ＩＳＤＢ−Ｔでは１つのチャンネル（帯域約５．６ＭＨｚ）を、１３セグメント（１セグメント＝約４３０ｋＨｚ）に分割し、これを単位に変調方式を変えることになる。これによって、１つのチャンネルで音声放送とハイビジョン放送、標準固定放送と移動体放送といったように、放送局は任意に信号構成を決定することができる。
【０００６】
さらに、ＩＳＤＢ−Ｔは時間軸方向のインターリーブを取り入れており、利用する電波も移動体への伝送に適していることから、車載テレビなどの移動体受信機やＰＤＡや携帯電話などの携帯端末でも安定した受信が可能となることが大きな特徴の一つとして挙げられる。今後、このような移動受信を想定したサービスも大いに期待されている。
【０００７】
車載テレビ等の移動体受信機においては、ある程度表示容量の大きなディスプレイを搭載可能であり、とりたてて小型軽量化の必要もなく、十分な電力供給源も備わっていることから、広帯域の受信に対応可能である。
【０００８】
図９は、地上デジタル放送サービスの一例を示す図である。
図９に示すように、データセグメント９０１において１セグメントの音声受信９０３，６セグメントの移動体受信９０４，残り６セグメントのＳＤＴＶ（標準テレビ）９０５というように１３セグメントを割り当てるサービスを想定することができ、車載テレビでは十分な情報量を得ることができる。ここで、データセグメント９０１は、周波数軸の伝送スペクトル（ＯＦＤＭセグメント）９０２へと変換され、１セグメント受信９０６の部分（Ａ階層）は１３セグメントの中央のセグメントヘ配置される。
【０００９】
【発明が解決しようとする課題】
しかしながら、このような従来の移動受信機にあっては、以下のような問題点があった。
移動端末機とりわけ携帯電話受信用放送を想定した場合、その大きさや重量、消費電力といった端末機器自体に要求される制限が厳しいことから、１３セグメントのうちの１セグメントだけを携帯受信用に割り当てる方式が現実的である。
【００１０】
すなわち、ＩＳＤＢ−Ｔの規格によって、２セグメント以上の受信においては１３セグメント全て受信する必要があるのに対し、この中央の１セグメントを利用した部分受信（狭帯域ＯＦＤＭ）においてはその必要がなく、１セグメントのみの受信形態が可能となり、格段に低い消費電力となるためである。また大きさや重量の点でも１セグメントのみの受信であれば小型・軽量化が可能で携帯端末内部に納めるには好ましい。
【００１１】
図１０は、地上デジタル放送サービスの一例を示す図である。
図１０に示す放送形態では、データセグメント１００１のうち１セグメントを携帯受信１００３に、残りの１２セグメントすべてをハイビジョンＴＶ受信１００４に割り当てている。同様に、データセグメント１００１は周波数軸の伝送スペクトル（ＯＦＤＭセグメント）１００２へと変換され、１セグメント受信１００５の部分（Ａ階層）は１３セグメントの中央のセグメントへ配置される。なお、ここでは残りの１２セグメントすべてをハイビジョンＴＶ受信に割り当てているが、ＳＤＴＶ２チャンネル分に分割して割り当てる等その形態は任意に選定し得る。
しかし、携帯端末での放送受信に際し、画面の解像度が低いためそれほど大きな伝送容量を必要としないとはいっても、１セグメントの帯城では３００ｋｂｐｓ程度の伝送量しかなく、ユーザがテレビを見るのに十分な情報量とは言い難い。
【００１２】
例えば、１セグメント受信による多重化された放送として、ＭＰＥＧ−４ビデオＴＳ（Transport Stream）：２９０ｋｂｐｓ（１５フレーム／ｓ、ＳＩＦ画面）、ＡＡＣ（Advanced Audio Coding）音声ＴＳ：５３ｋｂｐｓ（音声サンプリング２４ｋｂｐｓ）、データ放送１７ｋｂｐｓ、が典型的な容量として挙げられる。この映像信号の２９０ｋｂｐｓ（１５フレーム／ｓ、ＳＩＦ画面）は、ユーザが携帯端末でテレビを見るのには何とか満足できる程度の動画像である。しかし、この場合、変調方式をＤＱＰＳＫ（Differential Quadrature Phase Shift Keying）、誤り訂正１／２、ガードインターバル１／８、所要Ｃ／Ｎ６．７ｄＢとしても情報量は３１２ｋｂｐｓとなり、上記合計の３６０ｋｂｐｓは収まらないことになってしまう。そのため、実際はより映像の伝送容量を下げる必要があり、結局ユーザは不十分なテレビ放送しか視聴できないという問題点がある。
【００１３】
本発明は、このような課題に鑑みてなされたものであって、相関のある複数の放送を送信する地上デジタル放送送信システム及び該放送を同時に受信可能な移動受信機を提供することを目的とする。
【００１４】
【課題を解決するための手段】
本発明の移動受信機は、デジタル放送を受信する移動受信機において、放送受信用チューナを複数備え、前記複数のチューナのうち少なくとも１つは、地上デジタル放送を受信可能なチューナであることで、移動受信機において地上デジタル放送の１チャンネルと、それ以外のチャンネルからの情報を同時に得ることができる。例えば、１つのチャンネルにはデジタル映像放送専用、もう１つのチャンネルには音声又はデータ放送専用、もしくは音声とデータ放送の多重化放送専用というように情報の性質に特化した放送受信形態を簡易に実現することができる。
【００１５】
前記複数のチューナで受信した信号を同時に再生する再生手段を備えることで、受信した複数の情報をそのまま再生可能であれば、特に放送の送り手側でもともと同期の取られた複数の放送を行う場合に有用である。例えば、１つのチャンネルで野球中継をテレビ放送として受信し、もう１つのチャンネルで選手情報やチーム情報をデータ放送として受信するような形態がある。
【００１６】
本発明の移動受信機は、デジタル放送を受信する移動受信機において、地上デジタル放送受信用チューナを複数備え、前記複数の地上デジタル放送受信用チューナの出力信号を合成して再生する合成再生手段を備えることで、地上デジタル放送用受信機において、大きな情報量を受信することが可能となる。
また、前記合成再生手段は、ＯＦＤＭ復調部から出力された信号を合成することで、ＴＳ（Transport Stream）の規格の枠組みの中で容易に合成を行うことができる。
【００１７】
前記地上デジタル放送受信可能なチューナは、１セグメントの部分放送を受信することで、地上デジタル放送用移動受信機における小型化、軽量化、低消費電力化を実現しつつ、移動受信機による十分な情報量のテレビ放送受信が実現される。
【００１８】
また、前記地上デジタル放送受信可能なチューナからの出力信号を分析して前記合成再生を行うか否かを判定する判定手段をさらに備えることで、受信している地上デジタル放送に相関のある他チャンネルの有無を自動的に検出でき、ユーザ自身が複数受信を行うか否かを決定することができる。
【００１９】
前記複数のチューナにより受信する信号は、独立に再生可能な信号であることで、例えば、映像は低画質でも長時間放送番組を視聴したい場合は１つのチューナのみを利用した１セグメント受信、短時間でいいからとにかく高画質の映像を視聴したい場合は２つの受信系統を利用した２セグメント受信というように、放送番組の性質、ユーザの嗜好、携帯端末のバッテリ残量に応じてユーザが受信形態を選択することが可能となる。
【００２０】
本発明の地上デジタル放送送信システムは、地上デジタル放送を行う放送システムにおいて、１つの放送コンテンツを分割して複数の１セグメント部分放送として送信することを特徴としている。
このような放送送信システムが適用されることによって、前述したような様々な利用形態が実現可能となる。
前記分割された１セグメント部分放送のうち、少なくとも１つは独立に再生可能であることで、放送番組の性質、ユーザの嗜好、携帯端末のバッテリ残量に応じてユーザが受信形態を選択することが可能となる。
【００２１】
【発明の実施の形態】
以下、添付図面を参照しながら本発明の好適な移動受信機の実施の形態について詳細に説明する。
【００２２】
第１の実施の形態
図１は、本発明の第１の実施の形態のデジタル放送受信機の構成を示すブロック図である。本実施の形態の移動受信機として、デジタル放送受信機に適用した例である。本移動受信機は、地上デジタル放送とそれ以外の、例えばＦＭ多重放送を同時に受信・再生可能な仕様を想定している。
【００２３】
図１において、デジタル放送受信機１００は、アンテナ１０１，１０２、チューナ１０３，１０４、ＯＦＤＭ復調器１０５、デコーダ１０６，１０７、メモリ１０８、タイマ１０９、制御部１１０、音声信号処理部１１１、データ信号処理部１１２、映像信号処理部１１３、表示制御部１１４、スピーカ１１５、及びディスプレイ１１６を備えて構成される。
【００２４】
デジタル放送受信機１００は、放送受信用チューナを複数（ここでは２台）備え、複数のチューナ１０３，１０４のうち少なくとも１つは地上デジタル放送受信可能なチューナ１０４により構成される。
以下、上述のように構成されたデジタル放送受信機の動作を説明する。
【００２５】
地上デジタル放送信号は、アンテナ１０１及びチューナ１０３により受信され、受信された信号はＯＦＤＭ復調器１０５及びデコーダ１０６を経由して映像信号が復元され、映像信号処理部１１３へと入力される。
一方、もともと地上デジタル放送と関連して同期のとれたＦＭ多重放送信号は、別のアンテナ１０２、チューナ１０４、及びデコーダ１０７を経由して音声信号と文字放送が復元される。デコーダ１０７によりデコードされた音声信号は、音声信号処理部１１１を経由してスピーカ１１５で再生され、文字放送はデータ信号処理部１１２へ入力される。地上デジタル放送からの映像とＦＭ多重放送からの文字情報は、同一ディスプレイ１１６で表示される場合は表示制御部１１４で処理され同時に再生される。
【００２６】
このように別種の放送（例えば、地上デジタル放送とＦＭ多重放送の２つの放送）を同時に再生する場合は、もともと同期の取れた放送であれば基本的にはそのまま再生を行えばよいが、伝送路に基づく受信の遅延や、復調器やデコーダで費やす時間によっては同期が取れない場合があるので、その場合はデータを一時保存できるメモリ１０８や同期の基準を与えるタイマ１０９を利用して同期をとることができる。全体のシステムは、制御部１１０で制御される。
【００２７】
このような構成は、地上デジタル放送の１セグメントの部分放送を受信する移動受信機に有用で、もともと提供される大容量の情報・サービスを受けることができる固定受信機（１３セグメント受信機）には必ずしも必要はないと考えられるが、適用することも可能であり、バラエティーに富んだ放送を受信できると言う点で有用である。
【００２８】
これによって、移動体受信機において地上デジタル放送の１チャンネルと、それ以外のチャンネルからの情報を同時に得ることができる。すなわち、１つのチャンネルにはデジタル映像放送専用、もう１つのチャンネルには音声又はデータ放送専用、もしくは音声とデータ放送の多重化放送専用というように情報の性質に特化した放送受信形態を簡易に実現することができる。
【００２９】
以上説明したように、本実施の形態に係るデジタル放送受信機１００は、放送受信用チューナを複数備え、複数のチューナ１０３，１０４のうち少なくとも１つは地上デジタル放送受信可能なチューナ１０４により構成されているので、特に相関のある複数の放送を送信するシステムと該放送を同時に受信可能な移動受信機を実現することができ、地上デジタル放送用移動受信機における小型化、軽量化、低消費電力化を実現しつつ、移動受信機による十分な情報量のテレビ放送受信が可能になる。
なお、別種の放送として、地上デジタル放送とＦＭ多重放送の２つの放送を例に挙げているが放送の種類や数はこれに限定されるものではない。
【００３０】
第２の実施の形態
図２は、本発明の第２の実施の形態のデジタル放送受信機の構成を示すブロック図である。本実施の形態の移動受信機は、２つのチャンネルの地上デジタル放送を同時に受信・再生可能な仕様を想定している。
【００３１】
図２において、デジタル放送受信機２００は、アンテナ２０１、チューナ２０２，２０３、ＯＦＤＭ復調器２０４，２０５、デコーダ２０６，２０７、メモリ２０８、タイマ２０９、制御部２１０、音声信号処理部２１１、映像信号処理部２１２、データ信号処理部２１３、表示制御部２１４、スピーカ２１５、及びディスプレイ２１６を備えて構成される。
【００３２】
デジタル放送受信機２００は、複数（ここでは２台）の放送受信用チューナ２０２，２０３と、複数のチューナ２０２，２０３で受信した信号をそれぞれ復調する複数（２台）のＯＦＤＭ復調器２０４，２０５とを備えて構成され、複数のチューナ２０２，２０３で受信した信号を同時に再生することが可能である。
以下、上述のように構成されたデジタル放送受信機の動作を説明する。
【００３３】
一方の地上デジタル放送信号は、アンテナ２０１、チューナ２０２、ＯＦＤＭ復調器２０４及びデコーダ２０６を経由してデータ信号が復元され、データ信号処理部２１３へと入力される。他方の地上デジタル放送信号は、同一のアンテナ２０１、チューナ２０２とは異なるチューナ２０３、ＯＦＤＭ復調器２０５及びデコーダ２０７を経由して音声信号と映像信号が復元される。デコーダ２０７によりデコードされた音声信号は、音声信号処理部２１１を経由してスピーカ２１５で再生され、映像信号は映像信号処理部２１２へ入力される。データ情報と映像は、同一ディスプレイ２１６で表示される場合は表示制御部２１４で処理され同時に再生される。
【００３４】
このように地上デジタル放送という同種の放送（例えば、２つの地上デジタル放送）を同時に再生する場合は、もともと同期の取れた放送であれば基本的にはそのまま再生を行えばよいが、伝送路に基づく受信の遅延や、復調器やデコーダで費やす時間によっては同期が取れない場合があるので、その場合はデータを一時保存できるメモリ２０８や同期の基準を与えてくれるタイマ２０９を利用して同期をとることができる。全体のシステムは制御部２１０で制御される。
【００３５】
このような構成は、地上デジタル放送の１セグメントの部分放送を受信する移動受信機に有用で、もともと提供される大容量の情報・サービスを受けることができる固定受信機（１３セグメント受信機）には必ずしも必要はないと考えられるが、適用することも可能であり、バラエティーに富んだ放送を受信できると言う点で有用である。
【００３６】
受信した複数の情報をそのまま再生可能であれば、特に放送の送り手側でもともと同期の取られた複数の放送を行う場合に有用である。例えば、１つのチャンネルで野球中継をテレビ放送として受信し、もう１つのチャンネルで選手情報やチーム情報をデータ放送として受信するような形態がある。但し、１つのチャンネルでテレビ放送としてサッカー中継、もう１つのチャンネルでデータ放送として気象情報を同時に視聴するといったそれぞれが相関を持たないような放送の受信形態も考えられる。
【００３７】
これは何も地上デジタル放送の１セグメント受信を複数系統必ずしも必要とするわけではなく、テレビ映像は地上デジタル放送，音声放送はＦＭ・ＡＭラジオ放送とすることも可能である。なお、この場合移動受信機には複数の受信用アンテナが必要となる。
なお、地上デジタル放送という同種の放送として、２つの地上デジタル放送を例に挙げているが、受信する放送の数はこれに限定されるものではない。
【００３８】
第３の実施の形態
図３は、本発明の第３の実施の形態のデジタル放送受信機の構成を示すブロック図である。本実施の形態の移動受信機は、２つのチャンネルの地上デジタル放送を受信・合成・再生可能な仕様を想定している。
【００３９】
図３において、デジタル放送受信機３００は、アンテナ３０１、地上デジタル放送受信可能なチューナ３０２，３０３、ＯＦＤＭ復調器３０４，３０５、ＴＳ（Transport Stream）合成部３０６、デコーダ３１０、メモリ３０７、タイマ３０８、制御部３０９、音声信号処理部３１１、スピーカ３１２、映像信号処理部３１３、及びディスプレイ３１４を備えて構成される。
【００４０】
地上デジタル放送受信用チューナ３０２，３０３は、１セグメントの部分放送を受信することが可能である。
デジタル放送受信機３００は、複数（ここでは２台）の地上デジタル放送受信用チューナ３０２，３０３と、複数のチューナ３０２，３０３で受信した信号をそれぞれ復調する複数（２台）のＯＦＤＭ復調器３０４，３０５と、２つのチューナの出力信号を合成するＴＳ合成部３０６とを備えて構成され、複数のチューナ３０２，３０３で受信し、ＴＳ合成部３０６で合成した信号を同時に再生することが可能である。
以下、上述のように構成されたデジタル放送受信機の動作を説明する。
【００４１】
２つの１セグメント地上デジタル放送信号に対し、一方の地上デジタル放送信号は、アンテナ３０１、チューナ３０２、ＯＦＤＭ復調器３０４を経由してＴＳ合成部３０６へ、他方の地上デジタル放送信号は、同一のアンテナ３０１、チューナ３０２とは異なるチューナ３０３、ＯＦＤＭ復調器３０５を経由してＴＳ合成部３０６へ入力される。後述するように、ＴＳはパケット形式のストリームであるため、ヘッダ情報を用いて容易に所望のパケット配列を得ることができる。
【００４２】
合成されたＴＳ信号は、デコーダ３１０で映像信号と音声信号に分離され、音声信号は音声信号処理部３１１を経由してスピーカ３１２で再生され、映像信号は映像信号処理部３１３へ入力されディスプレイ３１４で再生される。ここで、再生される情報はこの２つに限らず、受信する放送の性質に応じた出力部で再生されることになる。
【００４３】
また、伝送路に基づく受信の遅延や、復調器で費やす時間によってはデータの合成が困難となる場合があるので、その場合はデータを一時保存できるメモリ３０７や同期の基準を与えてくれるタイマ３０８を利用して同期をとることができる。全体のシステムは制御部３０９で制御される。
本実施の形態では、ＯＦＤＭ復調器を２つ用いているが、合成部をチューナの直後に配置して、処理能力の高い復調器をその後ろに１つ配置する構成も可能である。
【００４４】
以上のような構成は、地上デジタル放送の１セグメントの部分放送を受信する移動受信機のみならず、１３セグメントすべてを受信することができる一般の受信機にも有用でもある。
これは前述したように、膨大な情報量を必要とする場合、例えば３Ｄ表示を行う場合で、右目用の映像データと左目用の映像データを別チャンネルで放送することによって、より大画面で高画質な３Ｄ表示を行うことも可能となるからである。
【００４５】
また、地上デジタル放送受信可能なチューナ３０２，３０３は、１セグメントの部分放送を受信するので、地上デジタル放送用移動受信機における小型化、軽量化、低消費電力化を実現しつつ、移動受信機による十分な情報量のテレビ放送受信が実現できる。
【００４６】
例えば、地上デジタル放送用受信機が２つの地上デジタル放送用チューナ３０２，３０３を搭載している場合、１３セグメントすべてを受信することなく、２セグメントの伝送容量を得ることができる。
この場合、２つの個別のチャンネルから１つの映像情報が配信されているとすると、分割された各ＴＳパケットに配列情報を書き込んであれば、２つのチャンネルから分割されて送信されても受信機側でそれぞれのパケットデータをつなぎ合せて元の映像が再生可能となる。チューナが２つの場合、６００〜７００ｋｂｐｓの情報量を受信することができることになり、より高画質なテレビ放送受信が可能である。
【００４７】
次に、信号の合成に関わる具体例を図４及び図５により説明する。
図４は、実際に通信，放送メディア用の映像・音声多重化信号として用いられるＭＰＥＧ−ＴＳの構成図である。
図４において、４０１はＰＥＳ（Packetized Elementary Stream）Ｐａｃｋｅｔ、４０２はＰＬ（Payload）、４０３はＴＳ Ｐａｃｋｅｔ、４０４はＭＰＥＧ−ＴＳ、４０５はＨＤ（Header）、４０６はＦｉｌｌｅｒ、４０７はＰＡＴ（Program Association Table）、４０８はＰＭＴ（Program Map Table）、４０９は映像（Ｖ）、４１０は音声（Ａ）、４１１はクロック（Ｃ）、４１２はデータ（Ｄ）である。
【００４８】
ＴＳ Ｐａｃｋｅｔ４０３は、ＨＤ４０５とＰＬ４０２からなり、１８８バイトに固定されているため、場合によってはＦｉｌｌｅｒ４０６が挿入される。ＰＬ４０２は、ＰＥＳ Ｐａｃｋｅｔ４０１を分離したものである。
ＰＥＳ Ｐａｃｋｅｔ４０１は、映像・音声の符号化データやプライベートデータ等を可変長の長さでパケット化したもので上位レイヤに位置する。伝送する場合には、ＰＥＳ Ｐａｃｋｅｔ４０１はさらにパケット分割されてＭＰＥＧ−ＴＳ Ｐａｃｋｅｔに乗せられて伝送される。すなわち、１つのＰＥＳ Ｐａｃｋｅｔは、同じＰＩＤ（Packet Identifier：パケット識別子）をもつ複数のＭＰＥＧ−ＴＳ ＰａｃｋｅｔのＰＬに分割されて伝送されることになる。
【００４９】
ＴＳ Ｐａｃｋｅｔ４０３の種類としては、ＰＡＴ４０７、ＰＭＴ４０８、映像（Ｖ）４０９、音声（Ａ）４１０、クロック（Ｃ）４１１及びデータ（Ｄ）４１２のパケットがある。これらは識別子であるＰＩＤによってその内容が識別される。
【００５０】
図５は、データ合成を説明する模式図である。
図５において、５０１はチャンネル１によるデータ、５０２はチャンネル２によるデータ、５０３はデータを合成する合成部、５０４は合成されたデータ例１、５０５は合成されたデータ例２である。
【００５１】
いま、Ａ−１，Ａ−２，…のＴＳ Ｐａｃｋｅｔから構成されるチャンネル１によるデータ５０１と、Ｂ−１，Ｂ−２，…のＴＳ Ｐａｃｋｅｔから構成されるチャンネル２による送信データ５０２を同一の受信機で同時に受信した場合を考える。
【００５２】
チャンネル１とチャンネル２のデータはお互い相関があるので、それぞれのパケットのＨＤ情報に従って合成部６０３により合成を行う。例えば、Ａ−１とＢ−１というように番号に対応した相関があるとすると合成されたデータは模式的にデータ例５０４，５０５のように表すことができる。
【００５３】
合成されたデータ例１（５０４）は、任意の時間に対して常に両チャンネルからのデータを使用する場合であり、例えばチャンネル１は映像の輝度に関する情報（白黒映像），チャンネル２は映像の色に関する情報というような場合や、オブジェクト映像（切り出し映像）とシーン映像（背景の映像），３Ｄ表示の際の右目の映像と左目の映像等の場合がある。
【００５４】
また、合成されたデータ例２（５０５）は、任意の時間に対してどちらかのチャンネルからのデータのみを使用する場合であり、例えば単純に映像のフレームレートを倍にする場合がある。
ここで、上記合成されたデータ例１（５０４）、合成されたデータ例２（５０５）のどちらの例でも、いずれか一方もしくは両方が独立に再生であり、ユーザが単独受信か複数受信かを選択することができる。
【００５５】
ところで、この構成においては、受信している地上デジタル放送と相関のある他チャンネルの有無を自動的に検出でき、ユーザ自身が複数受信を行うか否かを決定することができるような機能が求められる。
具体的には、１チャンネルのデータに相関のある他チャンネルの情報を付加しておけばよい。例えば相関チャンネルを他方のチューナで自動的に受信するようなリクエストを制御部へ送るようなシステムも考えられる。
【００５６】
図６は、上記各実施の形態で示したデジタル放送受信機のディスプレイ上での表示イメージを示す図である。
図６において、全体の表示画面６０１は、メイン画面６０２、文字情報部６０３、アイコン６０４〜６０７からなり、アイコン６０４〜６０７には、ＴＶアイコン６０４，ＨＰ（Homepage）アイコン６０５，メールアイコン６０６，データベースアイコン６０７等が一般的に考えられる。それぞれのアイコンを選択することによってメイン画面に各々の表示が行われる。
【００５７】
利用サービスイメージとしては、地上デジタルで放送される映画番組に対して所望する吹き替え言語及び字幕スーパーを他の放送で同期させるものや、スポーツ番組に対して所望する解説者の音声放送と選手のデータを同期させるもの，緊急災害時の臨時放送に対して身近な地域の文字放送を同期させる等様々なものが考えられる。
【００５８】
このように、１つのチューナからの出力信号を分析して前記合成再生を行うか否かを決定し、チャンネル１によるデータ５０１とチャンネル２によるデータ５０２を合成する合成部５０３を備えることで、受信している地上デジタル放送に相関のある他チャンネルの有無を自動的に検出でき、ユーザ自身が複数受信を行うか否かを決定することができるとともに、相関のある複数の放送信号を受信・同時再生、若しくは受信・合成することによって、前述したような様々なサービス形態が可能となる。
【００５９】
ところで、上記各実施の形態において、受信する複数の信号の少なくとも１つの信号は独立に再生可能であるものでもよい。これによって、映像は低画質でも長時間放送番組を視聴したい場合は１つのチューナのみを利用した１セグメント受信を、また、短時間でいいからとにかく高画質の映像を視聴したい場合は２つの受信系統を利用した２セグメント受信というように、放送番組の性質、ユーザの嗜好、携帯端末のバッテリ残量に応じてユーザが受信形態を選択することが可能となる。これは、複数の信号がそれぞれ独立に再生可能である場合も含まれる。
【００６０】
第４の実施の形態
図７は、本発明の第４の実施の形態の地上デジタル放送を行う送信側のシステムを表す模式図である。本実施の形態の地上デジタル放送システムは、上記第１乃至第３の実施の形態で示した移動信機が想定している放送送信システムである。
【００６１】
図７において、７０１はコンテンツ作成プロジェクト、７０２は放送局Ａ、７０３は放送局Ｂ、７０４は電波塔、７０５は携帯受信機、７０６はオリジナルのコンテンツデータ、７０７はチャンネルＡデータ、７０８はチャンネルＢデータ、７０９はチャンネルＡ、７１０はチャンネルＢ、７１１復元されたオリジナルコンテンツのデータである。
コンテンツ作成プロジェクト７０１は、オリジナルコンテンツを作成する本体であり、複数又は単独の放送局を中心に形成されるチームや、放送局とは独立した法人の場合も考えられる。
【００６２】
コンテンツ作成プロジェクト７０１で作成されたオリジナルコンテンツのデータ７０６は、その一部であるチャンネルＡ用のデータ７０７を放送局Ａ７０２へ、チャンネルＢ用のデータ７０８を放送局Ｂ７０３へ提供する。放送局Ａ７０２と放送局Ｂ７０３は、このオリジナルコンテンツ７０６に関して業務提携している場合が一般的である。また、オリジナルコンテンツ７０６は、直接各放送局へ提供して、放送局側で放送用データを抽出するシステムも可能である。
【００６３】
以上の構成において、各放送局は、オリジナルコンテンツの部分放送用に獲得した各データ７０７，７０８を電波塔７０４へ送信し、電波塔７０４は地上デジタル１セグメント部分放送のチャンネルＡ７０９，チャンネルＢ７１０として周辺地域へ放送する。
【００６４】
これらの放送を受ける携帯受信機７０５は、例えば図３の構成のデジタル放送受信機３００であり、内部でチャンネルＡとチャンネルＢの信号を合成することによって復元されたオリジナルコンテンツのデータ７１１を再生することができる。
このようなシステムは、特に各放送局がチャンネルを１つしか持たない場合に有用である。
【００６５】
第５の実施の形態
図８は、本発明の第５の実施の形態の地上デジタル放送を行う送信側のシステムを表す模式図である。本実施の形態の地上デジタル放送システムは、上記第１乃至第３の実施の形態で示した移動信機が想定している放送送信システムである。
【００６６】
図８において、８０１は放送局、８０２は電波塔、８０３は携帯受信機、８０４はオリジナルのコンテンツデータ、８０５はチャンネルＡデータ、８０６はチャンネルＢデータ、８０７はチャンネルＡ、８０８はチャンネルＢ、８０９は復元されたオリジナルコンテンツのデータである。
【００６７】
放送局８０１は、オリジナルコンテンツを作成する本体であり、２つの放送チャンネルを保有しているとする。
放送局８０１で作成されたオリジナルコンテンツのデータ８０４は、その一部であるチャンネルＡ用のデータ８０５，チャンネルＢ用のデータ８０６を電波塔８０２へ送信し、電波塔８０２は地上デジタル１セグメント部分放送のチャンネルＡ８０７，チャンネルＢ８０８として周辺地域へ放送する。
【００６８】
これの放送を受ける携帯受信機８０３は、例えば図３の構成のデジタル放送受信機３００であり、内部でチャンネルＡとチャンネルＢの信号を合成することによって復元されたオリジナルコンテンツのデータ８０９を再生することができる。
このようなシステムは特に放送局がチャンネルを２つ以上もつ場合に有用である。
【００６９】
このように、１つの放送コンテンツを分割して複数の１セグメント部分放送として送信する放送送信システムが適用されることによって、前述したような様々な利用形態が実現可能となる。
また、分割された１セグメント部分放送のうち、少なくとも１つは独立に再生可能である放送送信システムが適用されることによって、放送番組の性質、ユーザの嗜好、携帯端末のバッテリ残量に応じてユーザが受信形態を選択することが可能となる。
【００７０】
なお、本発明の地上デジタル放送送信システムは、上述の実施の形態に限定されるものではなく、本発明の要旨を逸脱しない範囲内において種々変更を加え得ることは勿論である。例えば、上述したような家庭にデジタル放送対応ホームサーバに適用することもできるが、これには限定されず、全てのシステムに適用可能である。特に、ＣＤＭＡ、ＯＦＤＭ等の同一時刻に広帯域の周波数帯城を使用して通信を行う無線通信装置に適用して好適である。
【００７１】
また、上記各実施の形態では、移動受信機及び地上デジタル放送送信システムの名称を用いているが、これは説明の便宜上であり、例えば放送システム、テレビ受信機、放送局選局装置等でもよい。また、移動受信機をデジタル放送受信機に適用した例について述べたが、放送を受信する端末はどのようなものであってもよい。ＰＤＡ等の携帯情報端末やパーソナルコンピュータのデータ通信機能として組み込まれたものでもよく、また、コンテンツ情報の種類はどのようなものでもよい。
さらに、上記地上デジタル放送送信システム及び移動受信機を構成する各回路部等の種類、記憶部に記憶されるデータの種類などは前述した実施形態に限られない。
【００７２】
【発明の効果】
以上、詳述したように、本発明によれば、地上デジタル放送用移動受信機における小型化、軽量化、低消費電力化を実現しつつ、移動受信機による十分な情報量のテレビ放送受信を実現することができる。
【図面の簡単な説明】
【図１】本発明の第１の実施の形態のデジタル放送受信機の構成を示すブロック図である。
【図２】本発明の第２の実施の形態のデジタル放送受信機の構成を示すブロック図である。
【図３】本発明の第３の実施の形態のデジタル放送受信機の構成を示すブロック図である。
【図４】本実施の形態の通信，放送メディア用の映像・音声多重化信号として用いられるＭＰＥＧ−ＴＳの構成図である。
【図５】本実施の形態のデジタル放送受信機のデータ合成を説明する模式図である。
【図６】上記各実施の形態で示したデジタル放送受信機のディスプレイ上での表示イメージを示す図である。
【図７】本発明の第４の実施の形態の地上デジタル放送を行う送信側のシステムを表す模式図である。
【図８】本発明の第５の実施の形態の地上デジタル放送を行う送信側のシステムを表す模式図である。
【図９】地上デジタル放送サービスの一例を示す図である。
【図１０】地上デジタル放送サービスの一例を示す図である。
【符号の説明】
１００，２００，３００  デジタル放送受信機
１０１，１０２，２０１，３０１  アンテナ
１０３，１０４，２０２，２０３，３０２，３０３  チューナ
１０５，２０４，２０５，３０４，３０５  ＯＦＤＭ復調器
１０６，１０７，２０６，２０７，３１０  デコーダ
１０８，２０８，３０７  メモリ
１０９，２０９，３０８  タイマ
１１０，２１０，３０９  制御部
１１１，２１１，３１１  音声信号処理部
１１２，２１３  データ信号処理部
１１３，２１２，３１３  映像信号処理部
１１４，２１４  表示制御部
１１５，２１５，３１２  スピーカ
１１６，２１６，３１４  ディスプレイ
３０６  ＴＳ合成部
４０１  ＰＥＳ Ｐａｃｋｅｔ
４０２  ＰＬ（Payload）
４０３  ＴＳ Ｐａｃｋｅｔ
４０４  ＭＰＥＧ−ＴＳ
４０５  ＨＤ（Header）
４０６  Ｆｉｌｌｅｒ
４０７  ＰＡＴ
４０８  ＰＭＴ
４０９  映像（Ｖ）
４１０  音声（Ａ）
４１１  クロック（Ｃ）
４１２  データ（Ｄ）
５０１  チャンネル１によるデータ
５０２  チャンネル２によるデータ
５０３  合成部
５０４  合成されたデータ例１
５０５  合成されたデータ例２
６０１  全体の表示画面
６０２  メイン画面
６０３  文字情報部
６０４  ＴＶアイコン
６０５  ＨＰアイコン
６０６  メールアイコン
６０７  データベースアイコン
７０１  コンテンツ作成プロジェクト
７０２  放送局Ａ
７０３  放送局Ｂ
７０４，８０２  電波塔
７０５，８０３  携帯受信機
７０６，８０４  オリジナルのコンテンツデータ
７０７，８０５  チャンネルＡデータ
７０８，８０６  チャンネルＢデータ
７０９，８０７  チャンネルＡ
７１０，８０８  チャンネルＢ
７１１，８０９  復元されたオリジナルコンテンツのデータ
８０１  放送局
【図１】
0003752443.tif 000002
【図２】
0003752443.tif 000003
【図３】
0003752443.tif 000004
【図４】
0003752443.tif 000005
【図５】
0003752443.tif 000006
【図６】
0003752443.tif 000007
【図７】
0003752443.tif 000008
【図８】
0003752443.tif 000009
【図９】
0003752443.tif 000010
【図１０】
0003752443.tif 000011